(57)【特許請求の範囲】
【請求項１】
シャワーヘッドや給水装置に装着可能な簡易型浄水器の内部に、亜硫酸カルシウムを充填したカートリッジ内と該カートリッジの外側を流れる二つの通水経路を設け、これら二つの通水経路の下流側にこれらを合流させて混合部を設けると共に該混合部を経た水を放出させるべくなし、更に前記カートリッジの外側を流れる通水経路の開口面積を可変となしたことを特徴とする脱塩素装置。
【請求項２】
いずれか一方を固定し、他方を円周方向にずらす２枚１組の絞り板を用い、一方の絞り板は中央部をカートリッジの外径と同一の径に円形に切欠すると共に該切欠部の外周に等間隔に所要の幅と高さの通水用切欠部を設け、他方の絞り板は中央部をカートリッジの外径より若干大きな径に円形に切欠し、該切欠部の外周に前記絞り板の通水用切欠部と同一の間隔で、該通水用切欠部と同一の幅と高さの切欠部を設けると共に該切欠部から更に徐々に小径となるように斜めの切欠部を設けてなり、これら２枚１組の絞り板をシャワーヘッドに通水経路と直交するように設けた嵌合部に嵌合し、円周方向にずらす側の絞り板の一部を操作摘みとしてシャワーヘッドから突出させ、該２枚１組の絞り板をもってカートリッジの外側を流れる通水経路の開口面積を変化させるようになした請求項１記載の脱塩素装置。
【請求項３】
カートリッジをテーパー状になす一方、中央部をカートリッジの大径部分より若干大きな径に円形に切欠した絞り板を、シャワーヘッドに設けた嵌合部に摺動自在に嵌合して通水経路と直交するように取り付けると共に、該絞り板を該嵌合部内においてカートリッジの軸方向に移動可能とし、更に該絞り板の一部を操作摘みとしてシャワーヘッドから突出させ、該絞り板をカートリッジの軸方向に移動させることによりカートリッジの外側を流れる通水経路の開口面積を変化させるようになした請求項１記載の脱塩素装置。
【請求項４】
シャワーヘッドや給水装置に装着可能な簡易型浄水器の内側又はカートリッジの外側に、水圧によって変形し、通水流量に応じて変形の度合いが変わる弾性板を、カートリッジの外側を流れる通水経路を遮断するように取り付け、もってカートリッジの外側を流れる通水経路の開口面積を自動的に変えるようになした請求項１記載の脱塩素装置。
【請求項５】
シャワーヘッドや給水装置に装着可能な簡易型浄水器の水の流入側の外側角部を斜めになし、一方カートリッジを水の流通方向に移動自在に保持すると共に水の流入側の角部を斜めになし、更にカートリッジの水の流出側の面とシャワーヘッドや給水装置に装着可能な簡易型浄水器との間に所要の弾性を有する弾性材を配置し、もってカートリッジの外側を流れる通水経路の開口面積を自動的に変えるようになした請求項１記載の脱塩素装置。
【発明の詳細な説明】
【０００１】
【発明の属する技術分野】
本発明は脱塩素装置に関するものである。
【０００２】
【従来の技術】
亜硫酸カルシウムを用い、これの亜硫酸イオンを処理水に混合して脱塩素する装置として、従来は図１３及び図１４に示した装置と、図１５に示した装置とが採用されている。
【０００３】
図１３及び図１４に示した装置は、不織布１００の中に所定の間隔で亜硫酸カルシウム１０１を入れ、カートリッジ１０２内に斯かる不織布１００を丸めて詰め込み、この丸めてできる隙間に処理水を通過させるものである。そして水が隙間を通過するときに不織布内から溶出する亜硫酸イオンと混合され、脱塩素されるものである。尚、１０３はカートリッジ１０２を収容するシャワーヘッドの柄の部分である。
【０００４】
斯かる装置の場合の問題点は、全ての水がカートリッジ内を通過するものであるから、水の流量又は残留塩素濃度に適正な亜硫酸イオンの溶出制御ができないということと、丸めて入れることによりカートリッジが必然的に大きくなるということと、更に原料コストが高くつくということにある。更にまた、この他通水時の圧力損失が大きいという問題点もある。
【０００５】
また、図１５に示した装置は、カートリッジ１０４に粒径の大きな亜硫酸カルシウム１０５を直詰めし、水を粒と粒の間を通過させるものである。この場合には水と亜硫酸カルシウムが直接接触するものである。尚、１０６はカートリッジ１０４を収容するシャワーヘッドの柄の部分である。
【０００６】
斯かる装置の場合の問題点は、前記装置の場合と同様に水の流量又は残留塩素濃度に適正な亜硫酸イオンの溶出制御ができないということと、粒径の大きなものを相当量詰め込む必要があるため、カートリッジが大きくなるということにある。そして更に、前記装置と同様に通水時の圧力損失が大きいという問題点もある。
【０００７】
【発明が解決しようとする課題】
本発明は上記の点に鑑みなされたものであって、水の流量又は残留塩素濃度に適正な亜硫酸イオンの溶出制御ができると共にカートリッジのサイズを小さくすることができ、加えて原料コストも削減することができるようになした脱塩素装置を提供せんとするものである。
【０００８】
【課題を解決するための手段】
而して、本発明の要旨とするところは、シャワーヘッドや給水装置に装着可能な簡易型浄水器の内部に、亜硫酸カルシウムを充填したカートリッジ内と該カートリッジの外側を流れる二つの通水経路を設け、これら二つの通水経路の下流側にこれらを合流させて混合部を設けると共に該混合部を経た水を放出させるべくなし、更に前記カートリッジの外側を流れる通水経路の開口面積を可変となしたことを特徴とする脱塩素装置にある。
【０００９】
また、上記カートリッジの外側を流れる通水経路の開口面積を可変となした構成において、いずれか一方を固定し、他方を円周方向にずらす２枚１組の絞り板を用い、一方の絞り板は中央部をカートリッジの外径と同一の径に円形に切欠すると共に該切欠部の外周に等間隔に所要の幅と高さの通水用切欠部を設け、他方の絞り板は中央部をカートリッジの外径より若干大きな径に円形に切欠し、該切欠部の外周に前記絞り板の通水用切欠部と同一の間隔で、該通水用切欠部と同一の幅と高さの切欠部を設けると共に該切欠部から更に徐々に小径となるように斜めの切欠部を設けてなり、これら２枚１組の絞り板をシャワーヘッドに通水経路と直交するように設けた嵌合部に嵌合し、円周方向にずらす側の絞り板の一部を操作摘みとしてシャワーヘッドから突出させ、該２枚１組の絞り板をもってカートリッジの外側を流れる通水経路の開口面積を変化させるようになしてもよい。
【００１０】
また、上記カートリッジの外側を流れる通水経路の開口面積を可変となした構成において、カートリッジをテーパー状になす一方、中央部をカートリッジの大径部分より若干大きな径に円形に切欠した絞り板を、シャワーヘッドに設けた嵌合部に摺動自在に嵌合して通水経路と直交するように取り付けると共に、該絞り板を該嵌合部内においてカートリッジの軸方向に移動可能とし、更に該絞り板の一部を操作摘みとしてシャワーヘッドから突出させ、該絞り板をカートリッジの軸方向に移動させることによりカートリッジの外側を流れる通水経路の開口面積を変化させるようになしてもよい。
【００１１】
また、シャワーヘッドや給水装置に装着可能な簡易型浄水器の内側又はカートリッジの外側に、水圧によって変形し、通水流量に応じて変形の度合いが変わる弾性板を、カートリッジの外側を流れる通水経路を遮断するように取り付け、もってカートリッジの外側を流れる通水経路の開口面積を自動的に変えるようになしてもよい。
【００１２】
また、シャワーヘッドや給水装置に装着可能な簡易型浄水器の水の流入側の外側角部を斜めになし、一方カートリッジを水の流通方向に移動自在に保持すると共に水の流入側の角部を斜めになし、更にカートリッジの水の流出側の面とシャワーヘッドや給水装置に装着可能な簡易型浄水器との間に所要の弾性を有する弾性材を配置し、もってカートリッジの外側を流れる通水経路の開口面積を自動的に変えるようになしてもよい。
【００１３】
【発明の実施の形態】
以下、本発明の実施形態について図面を参照しつつ説明する。
図１は本発明の第１実施形態の斜視図、図２は同一部切欠して示した側面図、図３及び図４は絞り板の正面図、図５乃至図７は絞り板の作用説明図である。
【００１４】
図中、１は柄部１ａを有するシャワーヘッドである。また、該シャワーヘッド１内には後記カートリッジの収容部２を設け、下流側には中央部に後記カートリッジの直径より小さい径の通水口３を有する仕切壁４を設けている。
【００１５】
５は前記シャワーヘッド１の仕切壁４の外部に被せる散水板である。６は内部に粒径の小さな亜硫酸カルシウム７を直詰めしたカートリッジであり、ストレートな形状をしている。そしてまた、該カートリッジ６は、その直径を前記シャワーヘッド１のカートリッジの収容部２の内径よりも所要の程度小さくしている。これによりシャワーヘッド１内には、カートリッジ６内を流れる通水経路８と、カートリッジの外側を流れる通水経路９という二つの通水経路が設けられる。尚、該カートリッジ６は、図示しない支持部材をもってシャワーヘッド１のカートリッジの収容部２の中央に保持されている。
【００１６】
更にまた、該カートリッジ６は前記シャワーヘッド１のカートリッジの収容部２内において、下流側の端面を仕切壁４より所要の距離だけ離して保持される。これにより、カートリッジ６と仕切壁４との空間において前記二つの通水経路８、９が合流し、混合部１０となる。
【００１７】
１１、１２はいずれか一方を固定し、他方を円周方向にずらす２枚１組の絞り板である。尚、本実施形態では絞り板１１を固定し、絞り板１２をずらすようにしている。
【００１８】
そしてまた、該一方の絞り板１１は、中央部をカートリッジ６の外径と同一の径に円形に切欠１１ａすると共に該切欠部１１ａの外周に等間隔に所要の幅と高さの通水用切欠部１１ｂを設けている。
【００１９】
また、もう一方の絞り板１２は、中央部をカートリッジ６の外径より若干大きな径に円形に切欠１２ａし、該切欠部１２ａの外周に前記絞り板１１の通水用切欠部１１ｂと同一の間隔で、該通水用切欠部１１ｂと同一の幅と高さの切欠部１２ｂを設けると共に該切欠部１２ｂから更に徐々に小径となるように斜めの切欠部１２ｃを設けている。
【００２０】
そして、これら２枚の絞り板１１、１２は、シャワーヘッド１に通水経路８、９と直交するように設けた嵌合部１３に嵌合し、円周方向にずらす側の絞り板１２の一部を操作摘み１２ｄとしてシャワーヘッド１から突出させている。
【００２１】
そして、これら２枚の絞り板１１、１２をもって前記カートリッジ６の外側を流れる通水経路９の開口面積を変化させるものである。
【００２２】
図５は２枚の絞り板１１、１２の位置関係が最大の開口面積の状態を示し、絞り板１１の通水用切欠部１１ｂと絞り板１２の切欠部１２ｂとが一致している状態である。
【００２３】
図６は２枚の絞り板１１、１２の位置関係が徐々に開口面積を縮小する状態を示し、絞り板１１の通水用切欠部１１ｂと絞り板１２の斜めの切欠部１２ｃとが一致している状態である。
【００２４】
図７は２枚の絞り板１１、１２の位置関係が最小の開口面積の状態を示し、絞り板１１の通水用切欠部１１ｂと絞り板１２の切欠部１２ａとが一致している状態である。
【００２５】
そして、このようにしてカートリッジ６の外側を流れる通水経路９の開口面積を変化させることができるから、水の流量又は残留塩素濃度に適正な亜硫酸イオンの溶出制御ができるのである。
【００２６】
次に、図８に示した本発明の第２実施形態について説明する。
本実施形態と前記第１実施形態との相違点は、本実施形態においてカートリッジをテーパー状になすことと、絞り板を前記第１実施形態におけるものと異なる構造としている点である。尚、その他の構成は同様であるから、同一の部材には同一の符号を付して詳細な説明は省略する。
【００２７】
本実施形態においてはカートリッジ６′をテーパー状となしている。尚、該カートリッジ６′は本実施形態では下流側に大径部分が位置するようにしているが、逆にしてもよい。
【００２８】
そしてまた、絞り板１４は中央部をカートリッジ６′の大径部分より若干大きな径に円形に切欠１４ａしている。そして、該絞り板１４は、シャワーヘッド１に設けた嵌合部１５に摺動自在に嵌合して通水経路８、９と直交するように取り付け、且つ嵌合部１５内においてカートリッジ６′の軸方向に移動可能としている。また、該絞り板１４の一部は操作摘み１４ｂとしてシャワーヘッド１から突出させている。
【００２９】
而して、本実施形態の場合には、絞り板１４をカートリッジ６′の軸方向に移動させることにより、カートリッジ６′の外側を流れる通水経路９の開口面積を変化させるものである。尚、図８において絞り板１４をカートリッジ６′の大径側にずらすと徐々に通水経路９の開口面積が縮小するものである。
【００３０】
また、上記第１及び第２実施形態においては、カートリッジをシャワーヘッドの本体部分に収納し、二つの通水経路もこの部分に設けているが、カートリッジをシャワーヘッドの柄の部分に収納し、この部分に二つの通水経路を設けるようにしてもよい。
【００３１】
また、図９及び図１０には給水装置に装着可能な簡易型浄水器の場合の第３実施形態を示しており、図９は長い浄水器の例、図１０は短い浄水器の例を示している。
【００３２】
該第３実施形態と前記第１実施形態とは、シャワーヘッドが浄水器１６に変わっただけであり、その他の構成は前記第１実施形態と同様である。したがって、浄水器１６以外の前記第１実施形態と同一の部材には同一の符号を付して詳細な説明は省略する。
【００３３】
また、図１１には給水装置に装着可能な簡易型浄水器の場合の第４実施形態を示している。該実施形態は、給水装置に装着可能な簡易型浄水器１７の内側に、水圧によって変形し、通水流量に応じて変形の度合いが変わる弾性板１８を、カートリッジ６の外側を流れる通水経路９を遮断するように取り付け、もってカートリッジ９の外側を流れる通水経路９の開口面積を自動的に変えるようになしたものである。
【００３４】
尚、本実施形態では弾性板１８を簡易型浄水器１７に取り付けているが、カートリッジ６側に取り付けるようにしてもよい。また、その他の構成は前記第１実施形態と同様であるから、同一の部材には同一の符号を付して詳細な説明は省略する。また、本実施形態の構成をシャワーヘッドにそのまま変えてもよい。
【００３５】
また、図１２には給水装置に装着可能な簡易型浄水器の場合の第５実施形態を示している。該実施形態は、給水装置に装着可能な簡易型浄水器１９の水の流入側の外側角部１９ａを斜めになし、一方カートリッジ６を水の流水方向に移動自在に保持すると共に水の流入側の角部６ａを斜めになし、更にカートリッジ６の水の流出側の面と簡易型浄水器１９との間に所要の弾性を有する弾性材２０を配置してなるものである。尚、弾性材２０として本実施形態ではコイルスプリングを用いているが、ゴムを用いるようにしてもよい。
【００３６】
而して、該実施形態にあっては、水量が多くなって圧力が高まると、弾性材２０の作用に抗してカートリッジ６が押し下げられ、簡易型浄水器１９の角の部分１９ａとカートリッジ６の角の部分６ａとの間の隙間Ｓが大きくなり、また水の圧力が弱まると弾性材２０の作用によってカートリッジ６が押し戻され、隙間Ｓが小さくなるものである。このようにしてカートリッジ６の外側を流れる通水経路９の開口面積を通水流量に応じて自動的に変えるものである。また、本実施形態の構成をシャワーヘッドにそのまま変えてもよい。
【００３７】
【発明の効果】
本発明は上記の如き構成、作用であるから、水の流量又は残留塩素濃度に適正な亜硫酸イオンの溶出制御ができるものである。そしてまた、これにより亜硫酸カルシウムのグラム当たりの処理量が従来装置より大幅に増加するから、原料コストを削減することができるものである。加えて、亜硫酸イオンの溶出を制御できることから長寿命を実現することができるものである。更にまた、粒径の細かいものを使用することができるから、カートリッジのサイズを小さくすることができ、そしてまた、このようにカートリッジのサイズを小さくすることができることから、シャワーヘッドの散水する本体部分と柄の部分のいずれにもカートリッジを入れることができるものである。加えて、通水時の圧力損失を従来品よりも小さくすることができるものである。
【図面の簡単な説明】
【図１】本発明の第１実施形態の斜視図である。
【図２】本発明の第１実施形態の一部切欠して示した側面図である。
【図３】第１実施形態で用いる２枚１組の絞り板の一方の正面図である。
【図４】第１実施形態で用いる２枚１組の絞り板のもう一方の正面図である。
【図５】絞り板の作用説明図であり、最大の開口面積の状態を示すものである。
【図６】絞り板の作用説明図であり、開口面積が徐々に縮小する状態を示すものである。
【図７】絞り板の作用説明図であり、最小の開口面積の状態を示すものである。
【図８】本発明の第２実施形態の一部切欠して示した側面図である。
【図９】本発明の第３実施形態に係る長い浄水器の例の一部切欠して示した側面図である。
【図１０】本発明の第３実施形態に係る短い浄水器の例の一部切欠して示した側面図である。
【図１１】本発明の第４実施形態の一部切欠して示した側面図である。
【図１２】本発明の第５実施形態の一部切欠して示した側面図である。
【図１３】従来装置で用いる亜硫酸カルシウムを入れた不織布の一部の正面図である。
【図１４】従来装置の説明図である。
【図１５】他の従来装置の説明図である。
【符号の説明】
１  シャワーヘッド
２  カートリッジの収容部
３  通水口
４  仕切壁
５  散水板
６、６′  カートリッジ
７  亜硫酸カルシウム
８、９  通水経路
１０  混合部
１１、１２  ２枚１組の絞り板
１１ａ  切欠部
１１ｂ  通水用切欠部
１２ａ  切欠部
１２ｂ  切欠部
１２ｃ  斜めの切欠部
１２ｄ  操作摘み
１３  嵌合部
１４  絞り板
１４ａ  切欠部
１４ｂ  操作摘み
１５  嵌合部
１６  簡易型浄水器
１７  簡易型浄水器
１８  弾性板
１９  簡易型浄水器
１９ａ  角部
２０  弾性材
【図１】
0004473431.tif 000002
【図２】
0004473431.tif 000003
【図３】
0004473431.tif 000004
【図４】
0004473431.tif 000005
【図５】
0004473431.tif 000006
【図６】
0004473431.tif 000007
【図７】
0004473431.tif 000008
【図８】
0004473431.tif 000009
【図９】
0004473431.tif 000010
【図１０】
0004473431.tif 000011
【図１１】
0004473431.tif 000012
【図１２】
0004473431.tif 000013
【図１３】
0004473431.tif 000014
【図１４】
0004473431.tif 000015
【図１５】
0004473431.tif 000016